(57)【要約】【目的】従来の機器の平坦でない筐体にも取付けることのでき、衣服やベルト等の一部に確実に掛止できるクリップ構造を提供すること。【解決手段】本発明のクリップ構造は、マイク等の機器の筐体に取り付けられて衣服やベルト等の一部を挟み込んで掛止するためのクリップの構造において、前記クリップを構成する一対のクリップ部材11、12の先端を閉じ方向に付勢する付勢手段と、前記一対のクリップ部材の固定側のクリップ部材11を、前記筐体から離して取り付ける複数の脚状取付け手段31〜38とを備えるとともに、前記一対のクリップ部材の先端部111、121は互いに平行になるように屈曲されている。【選択図】      図１
2005106181.tif 000002
【特許請求の範囲】
【請求項１】
機器の筐体に取り付けられて衣服やベルト等の一部を挟み込んで掛止するためのクリップの構造において、
前記クリップを構成する一対のクリップ部材の先端を閉じ方向に付勢する付勢手段と、
前記一対のクリップ部材の固定側のクリップ部材を、前記筐体から離して取り付ける複数の脚状取付け手段と、
を備えるとともに、
前記一対のクリップ部材の先端部は互いに平行になるように屈曲されていることを特徴とするクリップ構造。
【発明の詳細な説明】
【技術分野】
【０００１】
携帯用無線通信機等に用いるスピーカ付きマイク（以下、単にスピーカマイクという。）等の機器に備えられたクリップ構造のように、機器の筐体を衣服やベルト等に掛止するためのクリップ構造に関するものである。
【背景技術】
【０００２】
従来のクリップ構造は、樹脂製のスピーカマイク等の機器の筐体の背面に、目立たないように小型の樹脂製のクリップを例えば回動自在に取り付けたものが普通であった。
【発明の開示】
【発明が解決しようとする課題】
【０００３】
前述したような従来の小型のクリップ構造は、樹脂製であるためクリップ力（掛止力）が弱いという問題や、クリップの長さが短いという問題があった。そのため、衣服やベルト等に確実には掛止できないという問題があり、趣味や娯楽の用途では問題が無くても、消防や警察等の業務では問題があった。
なお、クリップを強度のある金属製にして大型にすると、従来の筐体が平坦でない部分には取り付けられないという問題がある。
【０００４】
そこで、本発明は、十分な強度であって、従来の機器の平坦でない筐体にも取付けることのできる大型のクリップ構造を提供することを目的としてなされたものである。
【課題を解決するための手段】
【０００５】
本発明のクリップ構造は、
機器の筐体に取り付けられて衣服やベルト等の一部を挟み込んで掛止するためのクリップの構造において、
前記クリップを構成する一対のクリップ部材の先端を閉じ方向に付勢する付勢手段と、
前記一対のクリップ部材の固定側のクリップ部材を、前記筐体から離して取り付ける複数の脚状取付け手段とを備えるとともに、
前記一対のクリップ部材の先端部は互いに平行になるように屈曲されていることを特徴としている。
【発明の効果】
【０００６】
本発明のクリップ構造では、クリップを構成する一対のクリップ部材の先端部は互いに平行になるように屈曲されているので、衣服やベルト等を広い幅で挟み込んで掛止するので確実なクリップ力が得られる。
また、脚状取付け手段を備えているので、このクリップを取り付ける機器の筐体が平坦でなくても確実に取りつけることができる。
【発明を実施するための最良の形態】
【０００７】
以下に、本発明のクリップ構造の実施の形態を図面を参照して説明する。
図１、２、３において、
１は本発明にかかるクリップ構造を備えたステンレススチール製のクリップであり、スピーカマイク２の背面に、４本のスタッド31、32、33、34を介して固定されている。なお、図２、３においては、スピーカマイクは2点鎖線で示した。
前記クリップ１は、一対のクリップ部材11、12および付勢手段としてのバネ４から構成されており、前記一対のクリップ部材11、12の先端の掛止部111、121は、前記バネ４によって互いに閉じる方向に付勢されている。前記クリップ部材12の後部122を筐体側へ強く押さえることによって前記掛止部111、121は互いに離間し、離間した間に衣服やベルトを位置させて指を放すと、前記掛止部111、121は閉じて前記衣服もしくはベルト等を挟んだ状態で保持する。
【０００８】
前記クリップ１の固定側のクリップ部材11の平面部11ａのほぼ四隅には４本のスタッド31、32、33、34が立設され、これらのスタッドを貫通する４本の貫通ボルト35、36、37、38によって、スピーカマイク２の筐体の背面に形成された取付け孔21、22、23、24に取り付けられている。
前記平面部11ａに延設された前記先端部111は、前記スピーカマイク２の筐体側へ傾斜されており、掛止する対象の衣服やベルトが、固定側のクリップ部材11とスピーカマイク２との隙間に入り込むことを防止している。また、前記先端部111の先縁はクリップ部材12側へ屈曲されて、曲げ端面の高さがクリップ部材11と平行になるように形成されているので、確実なクリップ力が得られて、衣服やベルトから脱落しない。
前記スピーカマイク２の筐体に、従来のクリップ用の取付け部29が突設されている場合でも、前記クリップ部材11の平面部11ａには前記取付け部29を避けるための切欠き11ｂが形成されているので邪魔にならない。
なお、前記取付け孔21、22、23、24は、スピーカマイク２の２分割された部材を合体させて固定するために従来より形成されている取付け孔である。
前記スピーカマイク２は特許請求の範囲に記載された機器に相当し、前記スタッド31、32、33、34および貫通ボルト35、36、37、38は特許請求の範囲に記載された脚状取付け手段に相当する構成である。
【０００９】
前記クリップ１の可動側のクリップ部材12は平面状に形成され、先端部121が前記固定側のクリップ部材11の先端部111と平行になるように、シャフト５によって、前記クリップ部材11と開閉可能に取り付けられている。
また、クリップ部材12の両側縁はクリップ部材11側へ屈曲されて、衣服やベルトを確実に挟み込むように構成されている。また、クリップ部材12の後部122には滑り止めのための凸条が形成されている。
前記可動側のクリップ部材12の、先端部121と後部122との間には、２つのベルト通し用の孔123、124が形成されている。これらのベルト通し用の孔の内縁には通したベルトがずれないように歯状突起が形成されている。
【００１０】
前記シャフト５に巻回された前記バネ４は、十分な付勢力が得られるように、中央で反転巻きされて、その中央部がクリップ部材11へ掛止され、両端がクリップ部材12へ掛止されている。
【００１１】
また、前記クリップ１の長さは、衣服やベルト等に深く確実に掛止できるように十分な長さとされ、クリップ１の幅は、衣服やベルト等を幅広く確実に掛止できるように十分な幅とされている。
さらに、前記先端部111と前記クリップ部材12とが平行になるように形成されているので、前記先端部111と先端部121とは、前記バネ４による強い付勢力で、衣服やベルト等を均一に挟み込んで確実に保持する。
このように、前記クリップ１の十分な長さと幅、平行な先端部111、121、そして強力なバネ４、さらに十分な強度が得られるステンレススチール素材が協同することによって、確実なクリップ力が得られるのである。
【００１２】
そして、スピーカマイク２の背面に凹凸や突起等が形成されていても取り付けることができるように、４本のスダッド31、32、33、34を備えているので、従来の種々の形状のスピーカマイクに取り付けることができる。
さらに、従来の取付け部29が形成されていても邪魔にならず、従来の取付け孔21、22、23、24を利用して取り付けるので、従来の構造のスピーカマイクをそのまま利用して、確実なクリップ力が得られる業務用の信頼性の高いクリップ構造を得ることができる。
【００１３】
なお、前記クリップ部材12には２つのベルト通し用の孔123、124が形成されているので、これらの孔に縦方向にベルトを通すことによって、縦ベルトに取り付けて使用することも可能になった。
【００１４】
なお、本発明のクリップ構造は、スピーカマイク等のマイクに限らず、携帯用無線通信機等の種々の機器に備えることができる。
また、クリップ１の素材としては、ステンレスに限らず、鉄、アルミニウム、その他の機械的強度の高い合金等を採用することができる。
また、バネ４としては、コイルバネに限らず圧縮バネ等の種々の付勢手段を採用することができる。
また、スタッドの数は４本に限るものではなく、固定できれば何本でもよい。また、スタッドの形状も図示したような棒状のものに限定されるものではなく、幅の広いものも可能である。
そして、一対のクリップ部材11、12のうち、固定側のクリップ部材11の先端部111を傾斜させて可動側のクリップ部材12の先端部121と平行になるように構成したが、固定側のクリップ部材11は平板状に構成し、可動側のクリップ部材12の先端部121を、前記平板状のクリップ部材11と平行になるように傾斜させてもよい。
【図面の簡単な説明】
【００１５】
【図１】本発明のクリップ構造の実施の形態の分解斜視図である。
【図２】図１のクリップ構造の側面図である。
【図３】図１のクリップ構造の平面図である。
【符号の説明】
【００１６】
１      クリップ
11、12    クリップ部材
111、121  先端部
２        スピーカマイク、機器
31、32、33、34  スタッド、脚状取付け手段
35、36、37、38  貫通ボルト、脚状取付け手段
４          バネ、付勢手段
【図１】
2005106181.tif 000003
【図２】
2005106181.tif 000004
【図３】
2005106181.tif 000005